(57)【要約】  無線接続網と通信する無線端末が，電力制御コマンドを搬送する無線接続網（例えばＷＣＤＭＡに関してはＵＴＲＡＮのＦ−ＤＰＣＨ）からのダウンリンク信号を断続するように適応させる方法及び対応する装置であって，無線接続網による電力制御コマンドだけ，若しくはチャネル自体の断続，又はユーザ装置による電力制御コマンド受信の断続を含む。この適応は，無線端末がいつ無線リンク障害を宣言するかを判定するときに用いるパラメータ値の変更を含んでもよいし，代わりにパラメータ値が達成されたかどうかを判定するために用いる手続の変更，したがってパラメータ値の実効的な変更だけ（又は，１又は複数のパラメータの実際かつ実効的な変更）を含んでもよい。
2009544177.tif 000002
【特許請求の範囲】
【請求項１】
ユーザ装置無線通信端末が用いる方法であって，
無線接続網のダウンリンクチャネル上での電力制御コマンドの受信に関連して断続信号のオン期間及びオフ期間を測定するステップと，
無線リンク障害をいつ宣言するかを，前記断続信号を基準にして判定するために用いる手続に用いる品質測定期間，又は前記手続に用いる１又は複数のパラメータ値，を実際に，及び／又は実効的に，変更することによって前記手続を変更するステップと，
を有する方法。
【請求項２】
前記断続信号は，送信電力の断続，前記電力制御コマンドだけの断続，又は前記ユーザ装置無線通信端末による前記電力制御コマンドの受信の断続，に対応する請求項１に記載の方法。
【請求項３】
前記手続は，前記手続が用いるパラメータ値を測定する方法を変更することによって変更する請求項１に記載の方法。
【請求項４】
前記手続の変更は，前記パラメータ値に対応する事象発生を，該事象がいつ発生するかにかかわらず前記事象の発生を数える代わりに，前記事象が前記断続信号のオン期間中に発生したときだけ数えるようにする請求項３に記載の方法。
【請求項５】
前記手続の変更は，断続を行わない場合より長い期間のパラメータに対応する事象発生を数えるようにする請求項３に記載の方法。
【請求項６】
前記パラメータ値がいつ変更されたかを測定するために用いる手続は，時間窓内に受信した電力変更コマンドを評価するステップを含み，前記手続の変更は，より長い時間窓で電力変更コマンドを評価するようにする請求項５に記載の方法。
【請求項７】
前記より長い時間窓は断続を行わないときの時間窓よりもある量だけ長くし，それによって断続を行わないときの時間窓と同数の電力変更コマンドが評価できるようにする請求項６に記載の方法。
【請求項８】
前記手続は，Ｎ３１３個の連続する同期はずれ標示，及び／又はＮ３１５個の連続する同期中標示，及び／又は時間長を示す数Ｔ３１３，及び／又は最低品質の第１しきい値Ｑｏｕｔ，及び／又は最低品質の第２しきい値Ｑｉｎ，を含む１又は複数のパラメータ値を用い，Ｎ３１３個の連続する同期はずれ標示が測定され，そしてＮ３１５個の連続する同期中標示が測定される前に，Ｔ３１３ユニットの期間が経過したとき，前記無線接続網への無線リンクは障害と宣言され，同期はずれ標示は，前記ダウンリンクチャネルの品質計量が最低品質の前記第１しきい値Ｑｏｕｔ以下になったとき測定され，同期中標示は，前記品質計量が最低品質の前記第２しきい値Ｑｉｎを超えたとき測定される請求項１に記載の方法。
【請求項９】
前記オン期間及び前記オフ期間はそれぞれデューティサイクルのオン期間及びオフ期間に対応し，前記パラメータ値の少なくとも一つが同報された値又は所定値から前記デューティサイクルのオン期間及びオフ期間の全期間に比べて，前記オフ期間を基準とする量だけ変化している請求項１に記載の方法。
【請求項１０】
計算機プロセッサが実行する計算機プログラムコードを組み込んだ計算機可読記憶構造を備える計算機プログラム製品であって，前記計算機プログラムコードは請求項１〜９のいずれか一項に記載の方法を実行する命令を含む計算機プログラム製品。
【請求項１１】
請求項１〜９のいずれか一項に記載の方法によって動作するようにした特定用途集積回路。
【請求項１２】
ユーザ装置無線通信端末が用いる装置であって，
無線接続網のダウンリンクチャネル上での電力制御コマンドの受信に関連して断続信号のオン期間及びオフ期間を測定する手段と，
無線リンク障害をいつ宣言するかを，前記断続信号を基準にして判定するために用いる手続に用いる品質測定期間，又は前記手続に用いる１又は複数のパラメータ値，を実際に，及び／又は実効的に，変更することによって前記手続を変更する手段と，
を備える装置。
【請求項１３】
前記断続信号は，送信電力の断続，前記電力制御コマンドだけの断続，又は前記ユーザ装置無線通信端末による前記電力制御コマンドの受信の断続，に対応する請求項１２に記載の装置。
【請求項１４】
前記手続を変更する手段は，前記手続が用いるパラメータ値を測定する方法を変更することによって前記手続を変更する請求項１２に記載の装置。
【請求項１５】
ユーザ装置無線通信端末が用いる装置であって，
無線接続網のダウンリンクチャネル上での電力制御コマンドの受信に関連して断続信号のオン期間及びオフ期間を測定するための，無線端末のプロトコルスタックの物理層を実現する第１コンポーネントと，
無線リンク障害をいつ宣言するかを，前記断続信号を基準にして判定するために用いる手続に用いる品質測定期間，又は前記手続に用いる１又は複数のパラメータ値，を実際に，及び／又は実効的に，変更することによって前記手続を変更するための，物理層を実現する第２コンポーネントと，
を備える装置。
【請求項１６】
前記断続信号は，送信電力の断続，前記電力制御コマンドだけの断続，又は前記ユーザ装置無線通信端末による前記電力制御コマンドの受信の断続，に対応する請求項１５に記載の装置。
【請求項１７】
前記第２コンポーネントは，前記手続が用いるパラメータ値を測定する方法を変更することによって前記手続を変更するように構成する請求項１５に記載の装置。
【請求項１８】
前記手続の変更は，前記パラメータ値に対応する事象発生を，該事象がいつ発生するかにかかわらず前記事象の発生を数える代わりに，前記事象が前記断続信号のオン期間中に発生したときだけ数えるようにする請求項１７に記載の装置。
【請求項１９】
前記手続の変更は，断続を行わない場合より長い期間のパラメータに対応する事象発生を数えるようにする請求項１７に記載の装置。
【請求項２０】
前記パラメータ値がいつ変更されたかを測定するために用いる手続は，時間窓内に受信した電力変更コマンドを評価するステップを含み，前記手続の変更は，より長い時間窓で電力変更コマンドを評価するようにする請求項１９に記載の装置。
【請求項２１】
前記より長い時間窓は断続を行わないときの時間窓よりもある量だけ長くし，それによって断続を行わないときの時間窓と同数の電力変更コマンドが評価できるようにする請求項２０に記載の装置。
【請求項２２】
前記手続は，Ｎ３１３個の連続する同期はずれ標示，及び／又はＮ３１５個の連続する同期中標示，及び／又は時間長を示す数Ｔ３１３，及び／又は最低品質の第１しきい値Ｑｏｕｔ，及び／又は最低品質の第２しきい値Ｑｉｎ，を含む１又は複数のパラメータ値を用い，Ｎ３１３個の連続する同期はずれ標示が測定され，そしてＮ３１５個の連続する同期中標示が測定される前に，Ｔ３１３ユニットの期間が経過したとき，前記無線接続網への無線リンクは障害と宣言され，同期はずれ標示は，前記ダウンリンクチャネルの品質計量が最低品質の前記第１しきい値Ｑｏｕｔ以下になったとき測定され，同期中標示は，前記品質計量が最低品質の前記第２しきい値Ｑｉｎを超えたとき測定される請求項１５に記載の装置。
【請求項２３】
前記オン期間及び前記オフ期間はそれぞれデューティサイクルのオン期間及びオフ期間に対応し，前記パラメータ値の少なくとも一つが同報された値又は所定値から前記デューティサイクルのオン期間及びオフ期間の全期間に比べて，前記オフ期間を基準とする量だけ変化している請求項１５に記載の装置。
【請求項２４】
請求項１２に記載の装置と，
無線接続網と通信するために，前記無線接続網へ送信するように構成した送受信器と，
を備えるユーザ装置無線通信端末。
【請求項２５】
無線フロントエンドと，
前記無線フロントエンドと接続したプロセッサと，
前記プロセッサに接続された，前記プロセッサが実行可能な命令集合を記憶するメモリと，
を備えたユーザ装置無線通信端末であって，
前記命令は，
無線接続網のダウンリンクチャネル上での電力制御コマンドの受信に関連して断続信号のオン期間及びオフ期間を測定するステップと，
無線リンク障害をいつ宣言するかを，前記断続信号を基準にして判定するために用いる手続に用いる品質測定期間，又は前記手続に用いる１又は複数のパラメータ値，を実際に，及び／又は実効的に，変更することによって前記手続を変更するステップと，
を有するユーザ装置無線通信端末。
【請求項２６】
請求項２４又は２５に記載のユーザ装置無線通信端末と，
前記ユーザ装置無線通信端末へダウンリンク信号を送信し，前記ユーザ装置無線通信端末からアップリンク信号を受信することによって前記ユーザ装置無線通信端末と通信するための無線端末を含む無線接続網と，
を備えるシステム。
【請求項２７】
前記無線接続網の前記無線端末は，
前記アップリンク信号が送信されていることを断続信号によって測定し，
前記アップリンクの断続に対応して前記ダウンリンク信号を断続する
ように構成する請求項２６に記載のシステム。
【発明の詳細な説明】
【技術分野】
【０００１】
本発明は無線通信の分野に関する。より特定すれば本発明は，無線端末が送信電力を断続（ｇａｔｉｎｇ）するときに無線端末が実行する手続に関する。
【背景技術】
【０００２】
いくつかの無線通信システムにおいて，特にＵＴＲＡＮ（ＵＭＴＳ（はん用移動体通信システム）地上無線接続網）の無線インタフェースにＷＣＤＭＡ（広帯域符号分割多元接続）を用いるＵＭＴＳにおいて，電力を節減するためにＵＥ（ユーザ装置）無線通信端末は送信電力をオン及びオフにすることができる。すなわち，（要因のなかでも）断続パターンによって，すなわち（少なくとも部分的に）オン期間及びオフ期間を有するデューティサイクルによって，その送信電力を断続することができる。例としてＷＣＤＭＡと共にＵＴＲＡＮを用いて，ＵＥはＵＴＲＡＮのノードＢへデータ及び／又は（パイロットビットのような）制御情報を送信し，次にノードＢはその制御情報を用いてＵＥのアップリンク品質を推定し，それに従って送信電力を変更するようＵＥに指示する。ＵＥが送信電力断続を用いることになっているときは制御情報が送信されない期間があり，それに対応してノードＢが電力変更コマンドを発行しない期間，又はノードＢが電力変更コマンドを発行することになっているときは，品質測定を行う期間（信号がＵＥからノードＢまで届くのに掛かる時間を考慮）は制御ビットが送信されないので，コマンドが信頼できない品質情報（例えば信号対干渉比の測定値）を基準とする期間がある。
【０００３】
現在，ＵＥが無線リンク障害を宣言する複数の手続があり，それはノードＢからの信号の最低品質の所定しきい値と，いくつかの連続するしきい値未満品質標示の所定値と，を基準としている。これらの手続と，所定しきい値と，いくつかの最低品質未満標示とは，ＵＥの送信電力が連続であることを仮定している。しかしＵＥがそのアップリンクを断続することになっているときは，ノードＢが実際上引き続きそのダウンリンクを断続するため（ＵＥが送信を行っていないときは，アップリンク品質を推定する制御情報がないため），またＵＥが無線リンク品質を推定する基準としてダウンリンクを用いるため，ＵＥは実際にはそのような障害がないときに無線リンク障害を宣言する可能性がある。ある期間，明らかにノードＢと通信（ｈｅａｒ）できないことは，単にノードＢがその期間送信を行っていないためであり，無線リンク品質が悪いためではない。
【０００４】
したがって，ＵＥがアップリンクを断続する場合に無線リンク障害を宣言する手続及び関連手続を適応させる方法が必要である。
【０００５】
無線技術としてのＷＣＤＭＡに伴うＵＴＲＡＮは，無線リンク障害を宣言する新規手続が必要な特定の例である。最初にＵＥが断続を行う必要性を考えることにする。専用チャネル（ＤＣＨ），したがって専用物理データチャネル（ＤＰＤＣＨ）（これは高レベル信号方式だけでなくペイロードも搬送する）がアップリンク（ＵＬ）に設定されていないとき，すべてのデータは強化データチャネル（Ｅ−ＤＣＨ）上で送信され，後者は強化専用物理データチャネル（Ｅ−ＤＰＤＣＨ）に対応する。Ｅ−ＤＣＨに関連する制御信号方式は，Ｅ−ＤＰＤＣＨ上で送信される。Ｅ−ＤＰＤＣＨ及びＥ−ＤＰＣＣＨは不連続である。すなわち，送信するデータがあり，網が送信を許可したときだけ，送信される。Ｅ−ＤＣＨ送信に関しては，許可が必要である。すなわち不定期ＭＡＣ−ｄ（媒体接続制御−ｄ）フローに対しては不定期許可が，そして定期送信に対してはサービス許可（許可された活性ＨＡＲＱ処理）が必要である。
【０００６】
ＵＬ  ＤＰＣＣＨは，第１層（すなわちプロトコルスタックの物理層）で発生された制御情報を搬送する。第１層制御情報は，例えば，ＤＰＣＨ上又は部分（ｆｒａｃｔｉｏｎａｌ）ＤＰＣＨ（Ｆ−ＤＰＣＨ）上のダウンリンク（ＤＬ）に対する送信電力制御（ＴＰＣ）コマンドを判定するためにノードＢにおいて用いられる同期検波用チャネル推定を支援する既知のパイロットビットと，帰還情報（ＦＢＩ）と，任意選択の転送形式組合せ標示子（ＴＦＣＩ）と，からなる。
【０００７】
ＵＬ  ＤＰＣＣＨは，（たとえしばらく送信するデータがなくても）連続して送信され，各無線リンクに一つのＵＬ  ＤＰＣＣＨがある。連続送信は，通常連続して送信する回線交換サービスでは容認できる。しかしバースト的なパケットサービスについては，かなりのオーバヘッドがあるため連続ＤＰＣＣＨ送信は好ましくない。
【０００８】
アップリンク容量は，制御オーバヘッドを減少させることによって増加させることができる。制御オーバヘッドを減少させる一つの可能性のある方法は，ＵＬ  ＤＰＣＣＨ断続，すなわちＤＰＣＣＨを常には送信しないことである。パターンは，（少なくとも部分的に）ＤＰＣＣＨ送信時間を定義することができ，及び／又はＤＰＣＣＨはＥ−ＤＣＨ及びＨＳ−ＤＰＣＨ送信時間に（も）依存してよい。（実際にはほかの規則がパターンを置き換え，それによってＵＥは，元々信号のオフ期間又はギャップであった期間に時々アップリンクすることができ，最終的には不定期送信，すなわち厳密にパターンによらないようになる。）断続することによって，デューティサイクル，すなわちＤＰＣＣＨのオフ期間に対するオン期間の長さ，に応じてＵＥの電力が節減され，それで電池寿命を長くすることができる。またほかのＵＥとの干渉も減少され，したがって網容量が増加する。
【０００９】
Ｆ−ＤＰＣＨは，ＤＰＣＣＨ上でＵＥがアップリンクするデータ及び／又は制御情報を基準にして，ＵＥにサービスを提供するノードＢが決定したＵＥにＴＰＣコマンドビットを搬送する。現在Ｆ−ＤＰＣＨは，ＵＥのデータ又は制御信号とは独立に，すなわちＵＥがＤＰＣＣＨを断続するかどうかによらず，各時間スロットで送信される。しかしＵＬ  ＤＰＣＣＨ時間スロットがＵＥのデータ及び／又は制御信号を含まないように，ＵＥがＵＬ  ＤＰＣＣＨを断続するときは，（ＵＥがその断続のためにＵＬ  ＤＰＣＣＨ時間スロット中に送信しないので）ノードＢはＦ−ＤＰＣＨ上で送信するための，その時間スロットに対応する適切な電力制御コマンドを得ることができない。したがってＵＬ  ＤＰＣＣＨを断続するときは，Ｆ−ＤＰＣＨ及び／又はＤＬ  ＤＰＣＣＨも断続してよく，及び／又は不連続に受信してもよい。不連続ＤＬ送信によってダウンリンク干渉が減少し，ＵＥが対応する不連続受信を行うことによってＵＥの電池消費が改善される。
【００１０】
サービス提供ノードＢが発行する電力制御コマンドに関して，前の１６０ｍｓ期間にサービス提供ＨＳ-ＤＳＣＨセルから受信したＤＬ  ＤＰＣＣＨ品質又はＦ−ＤＰＣＨフレームのＴＰＣフィールドの品質が，3GPP TS 25.101における試験が（暗黙に）規定したしきい値Ｑｏｕｔよりも悪いとき，ＵＥは同期はずれ（同期していない）ものと見なされる。前の１６０ｍｓ期間にサービス提供ＨＳ-ＤＳＣＨセルから受信したＤＬ  ＤＰＣＣＨ品質又はＦ−ＤＰＣＨフレームのＴＰＣフィールドの品質が，3GPP TS 25.101における試験が（暗黙に）規定したしきい値Ｑｉｎよりも良いとＵＥが推定するとき，ＵＥは同期中（同期している）ものと見なされる。
【００１１】
3GPP TS 25.101によれば，最後の１６０ｍｓ期間にサービス提供ＨＳ-ＤＳＣＨセルから受信したＤＬ  ＤＰＣＣＨ品質又はＦ−ＤＰＣＨフレームのＴＰＣフィールドの品質がしきい値Ｑｏｕｔよりも悪いとＵＥが推定するとき，ＵＥは電力をオフにする。反対に，最後の１６０ｍｓ期間にサービス提供ＨＳ-ＤＳＣＨセルから受信したＤＬ  ＤＰＣＣＨ品質又はＦ−ＤＰＣＨフレームのＴＰＣフィールドの品質がしきい値Ｑｉｎよりも良いとＵＥが推定するとき，ＵＥは電力をオンにする。あるＮ３１３個（Ｎ３１３は数値パラメータのラベルである）の連続する同期はずれが標示され，ある数Ｔ３１３の期間が経過する前に（数Ｔ３１３への計数は，Ｎ３１３個の連続する同期はずれが標示されたときから始まる），あるＮ３１５個より少ない連続する同期中が標示されたとき，ＵＥは無線リンク障害が発生したと判定することになっている。
【発明の開示】
【課題を解決するための手段】
【００１２】
本発明はユーザ装置無線通信端末が用いる方法を提供し，この方法は，無線接続網のダウンリンクチャネル上での電力制御コマンドの受信に関連して断続信号のオン期間及びオフ期間を測定するステップと，無線リンク障害をいつ宣言するかを，上記断続信号を基準にして判定するために用いる手続に用いる品質測定期間，又は上記手続に用いる１又は複数のパラメータ値，を実際に，及び／又は実効的に，変更することによって上記手続を変更するステップと，を有する。実際にパラメータを変更するためには，パラメータの値が変更される。パラメータを実効的に変更するだけであれば，そのパラメータを用いる手続が変更され，（同一のパラメータ値が異なる効果を有するように）パラメータ値は変更されない。
【００１３】
計算機プログラム製品及び特定用途集積回路を含む装置もまた提供される。更に，そのような装置を含み，本発明が提供する方法によって動作する無線端末が提供される。またそのような無線端末と通信する要素を含む無線通信システムも提供される。
【００１４】
本発明に関する上述及びほかの目的と，特徴と，利点とは，添付の図面と共に提示する次の詳細な説明を考慮することによって明らかになるであろう。
【発明を実施するための最良の形態】
【００１５】
本発明は，ＵＴＲＡＮ（ＵＭＴＳ無線接続網）と通信する（又は別のセルラ技術の無線接続網の対応するエンティティと通信する）ＵＥが，ノードＢからの電力制御コマンドを搬送するダウンリンクチャネル（Ｆ−ＤＰＣＨ又はＤＰＣＣＨ）を（いわゆる不連続送信を実行するために）断続するようにする方法を提供する。上述のとおり，このような断続はＵＥがアップリンクを断続する直接の結果であってもよいし，このような断続と少なくとも関連するものであってもよい。そしてダウンリンク断続は，（本発明の主題ではない監視，測定，又はほかの機構の結果として）ＵＥに既知又はＵＥが知ることができるものと仮定する。更に上述のとおりＵＥは，ノードＢから制御コマンドを受信する品質計量がしきい値Ｑｏｕｔより低いことを判定することにそれぞれ対応するいくつかの連続する同期はずれ標示を受信したとき，電力をオフにすることが標準によって要求されている。ＵＥは，このような断続に適応しないと，望まれる以上に電力をオフにする可能性があり，それは同期はずれ標示が単にノードＢがある期間，すなわちオン・オフのデューティサイクルのオフ期間に送信していないことに起因するからである。したがって上述のとおり，アップリンクをＵＥが断続するとき，無線リンク障害を宣言する手続及び関連する手続もまた適応させる方法が必要である。
【００１６】
断続を行うとき，どのように同期はずれ基準を決定するかについては，種々の選択肢がある。一般に本発明によれば，ノードＢによる断続に適応するためにＵＥは実際に，及び／又は実効的に，いつ無線リンク障害を宣言するかを，ダウンリンク断続を基準にして判定するために用いる１又は複数のパラメータ値を変更する。実際にパラメータを変更するためには，パラメータの値が変更される。パラメータを実効的に変更するだけであれば，そのパラメータを用いる手続が変更され，パラメータ値は変更されない。例えば手続は，時間Ｔ内にＮ回の事象発生を必要とするかもしれない。実際にＮを変更するためには，Ｎの値が変更され，（必ずしも）Ｔの値は変更されない。（あるいは，Ｔの値を実効的に変更してもよい。）実効的にＮを変更するためには，どのようにＴを測定するかを変更してもよい。（これもまた，実効的にＴの値を変更すると見なすことができる。）例えば上記の手続は，デューティサイクルのオフ期間をＴの測定に含めないように変更してもよい。
【００１７】
さてどのように同期はずれ基準を決定するかについての第１選択肢は，Ｑｏｕｔしきい値及びＱｉｎしきい値，並びに測定窓（１６０ｍｓ期間）を変更しないで，パラメータＮ３１３，Ｔ３１３，Ｎ３１５の値をＵＥに通知して，ダウンリンク断続信号のための所望の振る舞いを達成することである。しかしこの方法は，サンプル数が少ないことによってＱｉｎ又はＱｏｕｔの信頼性が低下する欠点がある。更にこれらのパラメータは現在同報されており，そのため異なる断続信号を有する各ユーザに別々に設定する必要がある。
【００１８】
第２選択肢においては，各しきい値及び各パラメータは変更しないで，測定窓を（１６０ｍｓから）増加させてもよいし，代わりにノードＢによる断続送信によって実際にダウンリンク送信が行われているとき，時間増分だけを含めることによって実効的に増加させるだけでもよい。双方の方法，すなわち窓を増加させるか，窓に寄与する時間をどのように含めるかを変更するだけか，について，評価されるサンプル数（ＴＰＣコマンドの意味で）一定にするように測定窓を設定してもよい。この方法でＱｉｎ及びＱｏｕｔの信頼性を改善することができる。
【００１９】
第３選択肢は，本発明が少なくともいくつかの実施例において提供するものであって，以前と同様にパラメータ値Ｎ３１３，Ｔ３１３，Ｎ３１５が網によって同報される（それによって，パラメータを同報したノードＢがサービスを提供するすべてのＵＥに知らされる）。しかしＵＥは，断続信号のオン期間及びオフ期間を用いて同報された値Ｎ３１３，Ｔ３１３及び／又はＮ３１５のうち１又は複数を自律的に調整する。そしてこの断続信号は，オン・オフのデューティサイクルを有し，所定の方法による，無線接続網のダウンリンクチャネル上の電力制御コマンド送信に関連している。いくつかのほかの実施例においては，ＵＥはしきい値Ｑｏｕｔ及びＱｉｎに用いる値を調整することができる。
【００２０】
ＵＥがパラメータＮ３１３，Ｔ３１３，Ｎ３１５のうち１又は複数に用いる値を変更するとき，この方法は例えばＴ３１３の値を増加させ，それによって無線リンク障害が宣言されるまでの時間を延長することができる（そして恐らくは，Ｎ３１３個の同期はずれ標示の後に同期中標示を受信する時間が長くなることで無線リンク障害が宣言されることを防止する）。例えばパラメータＴ３１３は，全体時間に対するノードＢが送信していない時間のパーセンテージだけ増加される。あるいはこの方法は，数Ｎ３１３を増加させてより多くの同期はずれ標示数を必要とするようにすることができ，そして更に例えばデューティサイクルの全体期間に対するデューティサイクルのオフ期間に直接比例させてもよい。（この代替案はＴ３１３及びＮ３１５の利用を開始させるので，最大の効果を有する。）また別の代替案においては，方法は数Ｎ３１５を減少させ，それによって（Ｎ３１３個の連続する同期はずれ標示が観測された後に）無線リンク障害を宣言することを防止するために必要な（Ｔ３１３時間ユニットが過ぎるまでの）連続する同期中標示の数を減少させることができる。
【００２１】
また本発明は，パラメータＮ３１３，Ｔ３１３，Ｎ３１５のうち一つを変化させることだけでなく，これらパラメータの任意の組合せも変化させることも含む。また断続信号のオフ期間（すなわちＵＥ送信器のデューティサイクルのオフ期間）の長さに直接比例してパラメータ値を変化させる代わりに，パラメータ値をある別の比で，すなわち非線形に変化させてもよい。
【００２２】
パラメータＮ３１３，Ｔ３１３，Ｎ３１５の値を変化させる代わりに，ＵＥはどのように連続する同期はずれ標示を計数するか，どのように連続する同期中標示を計数するか，及び／又はどのようにＴ３１３に対応する期間を測定するか，を変更してもよい。例えばＵＥは，連続する同期はずれ標示として，ノードＢの断続信号がオン期間にある期間，すなわちノードＢが送信中であることをＵＥが知っている期間に発生する同期はずれ標示だけを計数してもよい。Ｎ３１５個の同期中標示を計数すること，そしてＮ３１３個の連続する同期はずれ標示の後の時間を測定する（すなわちノードＢが送信中であることを知っているときだけ時間を測定する）ことについても類似する。このようにＵＥは，ＵＥがどのように１又は複数のパラメータ値も対応する条件が発生したかどうかを判定するかを変更することによって，例えば連続する同期はずれ標示として，オン・オフのデューティサイクル期間のオン期間中に発生した同期はずれ標示だけ（そしてオン期間中に発生した直近の同期はずれ標示の間のどの期間にも同期中標示がないときだけ），そのような標示を計数できるように，同期はずれ標示を監視するために用いる手続を変更することによって，パラメータ値Ｎ３１３，Ｔ３１３，Ｎ３１５のうち１又は複数を実効的にだけ変更することができる。
【００２３】
パラメータＮ３１３，Ｔ３１３，Ｎ３１５（のうち１又は複数）を（実際に又は実効的に）変化させるために，電力制御コマンドを搬送するダウンリンクチャネルを断続するときに，無線接続網のノードＢが用いるオン・オフデューティサイクルのオン期間及びオフ期間を，ＵＥは覚えておくか，測定しなければならない。ＵＥがデューティサイクルのオン期間及びオフ期間を測定する一つの方法は，ＵＥが（ＤＰＣＣＨ上の）アップリンクを断続するときに用いるデューティサイクルのオン期間及びオフ期間と同一と仮定し，それによってノードＢのダウンリンク断続信号と，ＵＥのアップリンク断続信号とを同じにすることである。別の方法は，ダウンリンクを監視し，断続ダウンリンクチャネル（例えばＷＣＤＭＡ及びＵＴＲＡＮの場合のＦ−ＤＰＣＨ）の受信電力の変動パターンを観測し，そして断続ダウンリンクパターンのオフ期間を低受信電力を観測した期間と同じにし，オン期間をより大きい低受信電力を観測した期間と同じにすることである。別の方法は，ＵＥがノードＢから通知によってノードＢが用いる断続信号を示す情報を受信し，その通知からデューティサイクルのオン期間及びオフ期間を判定することである。
【００２４】
上述のとおり，ＵＥはしきい値Ｑｏｕｔ及び／又はＱｉｎに用いる値のうち１又は複数を変更することもできる。これは，パラメータＮ３１３，Ｔ３１３，Ｎ３１５のうち１又は複数を変更することの代替案であってもよいし，追加であってもよい。ＵＥは，しきい値Ｑｏｕｔ及び／又はＱｉｎに用いる値を自律的に調整してもよいし，所定の組から各しきい値を選択してもよい（いつ同期はずれ又は同期中が発生するかを測定し，同期はずれ標示・同期中標示によって，いつ無線リンク障害が発生したと考えられるかを判定することによって）。
【００２５】
ダウンリンクチャネル（特にＦ−ＤＰＣＨ又はＤＰＣＣＨ）を断続する代わりに，ダウンリンクチャネルは連続的に送信するが，アップリンク断続によって不連続に電力制御を行ってもよい。すなわち，ＵＥの送信中は，アップリンク時間スロットに対応するダウンリンク時間スロットにおいてだけ，電力制御コマンドを送信することができる。あるいはＵＥ電力消費を改善するために，ダウンリンクチャネル（Ｆ−ＤＰＣＨ又はＤＰＣＣＨ）は連続的に送信するが，ＵＥが不連続に受信するようにしてもよい。不連続電力制御は，アップリンク信号ギャップ中，及びギャップの直後に性能を低下させる可能性がある。したがって上述及び以降に述べることに類似して，アップリンク信号ギャップに対応する期間の送信を，（断続ダウンリンクの）ダウンリンクオフ期間に類似して扱う方法を（断続ダウンリンクチャネルに用いるとき）適用することができる。ＵＥにおけるＦ−ＤＰＣＨの利用及び性能の観点からすれば，不連続受信は実効的に断続ダウンリンクチャネルと同一である。
【００２６】
ここで図１Ａを参照すると，ＵＥ１１はアップリンク及びダウンリンクを有する無線リンクを介してＵＴＲＡＮ１２のノードＢ１２ａと通信している。ここでダウンリンクは断続送信によって断続され，アップリンクも断続されている（上述のとおり，ダウンリンクの断続を生じさせることがある）。図示のとおりＵＴＲＡＮは無線網制御装置（ＲＮＣ）１２ｂも含んでおり，ＲＮＣは少なくともいくつかの点でノードＢを制御し，ノードＢをコア網１４と（そして最終的には図示していないほかの通信端末と）接続する。ＵＥは，対応するノードＢのＴＲＸ１７ａと無線で通信するようにしたＵＥ送受信器（ＴＲＸ）１６ａを含む。またＵＥは，ＵＥのＴＲＸ１６ａを操作するプロトコルスタック第１層１６ｂも含む。そしてノードＢは，対向するプロトコルスタック第１層１７ｂを含む。またＵＥは，ここで同期パラメータと呼ぶ，本発明の種々の実施例において用いる種々のパラメータ値及び／又はしきい値を保持するデータ記憶１６ｃも含む。
【００２７】
図１Ｂは，図１ＡのＵＥ１１のいくつかのコンポーネントを別の観点から示した図である。ＵＥはデータプロセッサ１１ｂに接続された適切な無線フロントエンド１１ａ（図示していない無線送受信器を含む）を含み，データプロセッサは（揮発性及び／又は不揮発性の）メモリ構造１１ｃに接続されている。データプロセッサは，例えばマイクロプロセッサ，すなわち単一半導体集積回路上に中央処理ユニットの機能を組み込んだプログラム可能デジタル電子コンポーネント，であってもよい。無線フロントエンドはデジタル信号プロセッサ（図示していない）を含んでもよいし，無線端末が送信又は受信する信号に関してデータプロセッサ１１ｂがデジタル信号処理を行ってもよい。メモリ構造１１ｃは，本発明の全体又は一部を実現するプログラムコードを含む，プロセッサ１１ｂが実行可能なプログラムコードを記憶する。図示したとおり，ＵＥ１１は１又は複数の特定用途集積回路１１ｄも含んでよく，特定用途集積回路は，プロセッサが実行する記憶された命令によって機能を提供する代替物として，ＵＥの機能のいくつか又はすべてを提供する。最後にＵＥ１１は，図示のとおりユーザインタフェース（ＵＩ）１１ｅ（通常とりわけディスプレイと，キーパッドと，マイクロホンと，スピーカと，を含む）を含み，ＵＩはデータプロセッサと，恐らくは１又は複数のＡＳＩＣのうち１又は複数とも接続される。図１ＡのＴＲＸ１６ａは，無線フロントエンド１１ａのコンポーネントである。図１ＡのＵＥプロトコルスタック第１層１６ｂは，１又は複数のＡＳＩＣ１１ｄ，及び／又はデータプロセッサ１１ｂが実行できるメモリ構造１１ｃに記憶されたプログラムコード，及び／又は無線フロントエンド１１ａの１又は複数のコンポーネントを含むように実現してもよい。
【００２８】
図面には示していないが，各ノードＢ１２ａもまた，無線フロントエンドと，データプロセッサと，メモリ構造と，を含み，図１Ｂに示すように接続した１又は複数のＡＳＩＣを含んでもよく，ＲＮＣ１２ｂもまたデータプロセッサと，メモリ構造と，恐らく１又は複数のＡＳＩＣと，を含む。
【００２９】
一般にＵＥ１１の種々の実施例は，セルラ電話機と，無線通信能力を有するパーソナルデジタルアシスタント（ＰＤＡ）と，無線通信能力を有する可搬型計算機と，無線通信能力を有するデジタルカメラのような画像キャプチャデバイスと，無線通信能力を有するゲームデバイスと，無線通信能力を有する音楽記憶及び再生装置と，無線インターネット接続及び閲覧が可能なインターネット装置と，これらの機能の組合せを組み込んだ可搬型ユニット又は端末と，を含んでもよいがこれに限定はされない。
【００３０】
さて図２及び３も参照すると，第１ステップ３１でＵＥはダウンリンクが断続されていることを判定し，次のステップ３２で使用する同期パラメータのうち１又は複数の値を，ダウンリンクが断続されていないときに用いる値に対して調整する（上述のとおり，実際に，又は実効的にだけ）。“同期パラメータ”という用語は，ここではＮパラメータ及びＴパラメータ（Ｎ３１３，Ｔ３１３，Ｎ３１５）のうち任意の一つ又は複数，及び／又はしきい値（Ｑｏｕｔ及びＱｉｎ）の任意の一つ又は複数を示すために用いている。（上述のとおりこの調整は，断続信号のオン・オフデューティサイクルのオフ期間を基準にしてもよいし，比例してもよい。）図２において，ＵＥは手続の元の値を（任意選択で）取得し，そして変更した同期パラメータ（すなわちその値）をＵＥのデータ記憶に記憶し，例えば無線リンク障害をいつ宣言するかを判定する（又は同期はずれ標示，又は同期中標示に応答する）際に用いる。図１及び２に示すとおり，同期パラメータを変更する機能は，ＵＥプロトコルスタックの第１層（物理層）実装（ハードウェア又はソフトウェア）に存在する。
【００３１】
ここで図４を参照すると，ノードＢは第１ステップ４１によって動作しており，ＵＥがそのアップリンクを断続していることを判定する。ノードＢは，そのような判定を例えば専用チャネルの場合，アップリンクチャネルで受信した電力を監視することによって測定できる。次のステップ４２において，ノードＢはＵＥが断続したアップリンクに対応してそのダウンリンクを断続する。例えば上述のとおり，ノードＢは（ＵＥアップリンク断続信号のオン期間に）実際に受信した電力変更要求に単に応答してもよいし，ＵＥアップリンクのオフ期間にその受信器を停止させてもよい。
【００３２】
本発明が提供する上述の機能は，移動機のようなデバイスの不揮発性メモリに記憶したソフトウェアモジュールとして実現することができ，デバイス（より詳細に言えばデバイスのオペレーティングシステム）が必要とするとき，そのソフトウェアのすべて又は一部を実行可能ＲＡＭ（ランダムアクセスメモリ）に複製して実行することができる。あるいは，そのようなソフトウェアが提供する論理をＡＳＩＣ（特定用途集積回路）によって提供することもできる。ソフトウェア実装の場合，本発明は計算機プロセッサが実行する計算機プログラムコード，すなわちソフトウェアを組み込んだ計算機可読記憶構造を含む計算機プログラム製品として提供される。
【００３３】
上述の構成は，本発明の原理の応用を単に説明するものであることを理解されたい。当業者であれば，本発明の範囲を逸脱することなく多くの修正物及び代替構成物を想起することができ，本願請求項はそのような修正物及び構成物を含むことを意図している。
【図面の簡単な説明】
【００３４】
【図１Ａ】ＵＥと，断続アップリンクチャネル及び断続ダウンリンクチャネルを含む無線リンクを介して通信するノードＢと，のブロック図及びフロー図であって，（なかでも）いつ無線リンク障害を宣言するかを判定する際に用いる，ＵＥに記憶されるパラメータを示す図である。
【図１Ｂ】ＵＥ端末又は図１ＡのノードＢの（本発明に関係する部分だけを示す）簡略化したブロック図である。
【図２】ＵＥに実装される，断続ダウンリンクを示す情報を入力として受信するプロトコルスタックの第１層（物理層）と，ダウンリンク断続が行われないときの同期パラメータと，変更した同期パラメータの提供と，を示すブロック図である。
【図３】本発明によるＵＥの動作のフローチャートである。
【図４】本発明によるノードＢの動作のフローチャートである。
【図１Ａ】
2009544177.tif 000003
【図１Ｂ】
2009544177.tif 000004
【図２】
2009544177.tif 000005
【図３】
2009544177.tif 000006
【図４】
2009544177.tif 000007
【国際調査報告】
2009544177.tif 000008
2009544177.tif 000009
2009544177.tif 000010
2009544177.tif 000011